(57)【特許請求の範囲】
【請求項１】
前側部分（２２）と、後側部分（２４）と、長手方向（４８）から見て前記前側部分と前記後側部分との間にあって使用者の両脚の間に配置されるようになった股下部分（２６）とから成り、吸収体（２８）を備える本体部（２０）と、
前記本体部（２０）の前記後側部分（２４）の側縁部分（３６ａ、３６ｂ）に取り付けられた後側材料部分（３４ａ、３４ｂ）と、
前記本体部（２０）の前記前側部分（２２）の側縁部分（３６ｃ、３６ｄ）に取り付けられた前側材料部分（３５ａ、３５ｂ）と、
を有する吸収性失禁用品（９）であって、
前記後側および前側材料部分（３４ａ、３４ｂ、３５ａ、３５ｂ）は、前記本体部（２０）の長手方向側縁（４０ａ、４０ｂ）を越えて横方向（３８）に延在し、
前記後側および前側材料部分（３４ａ、３４ｂ、３５ａ、３５ｂ）は、前記用品（９）の装着状態において前記前側部分（２２）と後側部分（２４）を相互に接続し、
前記後側および前側材料部分（３４ａ、３４ｂ、３５ａ、３５ｂ）は、装着状態において身体に面する側に内面（３３）と、装着状態において身体の反対側に面する側に外面（３１）とを有し、
前記後側材料部分（３４ａ、３４ｂ）は、前記後側材料部分（３４ａ、３４ｂ）の外側長手縁部分（３７）上に止着要素（４２）を有し、
前記止着要素（４２）は、使用前に各材料部分の内面（３３）上に折り返された、固着されていないつまみタブ（４５）を有する止着要素テープ（４４）を備え、
前記後側材料部分（３４ａ、３４ｂ）は前記吸収性失禁用品（９）の使用前に前記長手方向（４８）に平行に延びる折り目（５０ａ、５０ｂ、５２ａ、５２ｂ、５４ａ、５４ｂ）に沿って、前記後側材料部分（３４ａ、３４ｂ）自身の上に折り畳まれて、内側区分（８０ａ、８０ｂ）と中央区分（８２ａ、８４ａ、８２ｂ、８４ｂ）と外側区分（８６ａ、８６ｂ）とを形成し、
前記内側区分（８０ａ、８０ｂ）は前記本体部（２０）の各側縁部分（３６ａ、３６ｂ）に取り付けられ、
前記外側区分（８６ａ、８６ｂ）は長手縁部分（３７）を備え、
前記中央区分（８２ａ、８４ａ、８２ｂ、８４ｂ）は前記外側区分（８６ａ、８６ｂ）の内面上に折り畳まれて、前記中央区分（８２ａ、８４ａ、８２ｂ、８４ｂ）が前記止着要素テープ（４４）の固着されていないつまみタブ（４５）を完全に覆い、かつこのように折り畳まれた後側材料部分（３４ａ、３４ｂ）は折り目軸（６１ａ、６１ｂ）に沿って前記本体部（２０）の前記後側部分の内面上に内側に折り曲げられて折り畳み構成を形成し、
前記折り畳み構成の前記長手縁部分（３７）の内面は前記本体部（２０）の後側部分（２４）の内面（３３）の反対方向に向いている、
吸収性失禁用品。
【請求項２】
前記止着要素テープ（４４）は、横方向（３８）の広がりの少なくとも２５％かつ多くとも９０％が、中央区分（８２ａ、８４ａ、８２ｂ、８４ｂ）で覆われるか、または前記中央区分（８２ａ、８４ａ、８２ｂ、８４ｂ）が前記止着要素テープ（４４）を横方向（３８）に少なくとも１０ｍｍかつ多くとも５０ｍｍ覆うことを特徴とする、請求項１に記載の吸収性失禁用品（９）。
【請求項３】
後側材料部分（３４ａ、３４ｂ）の前記外側区分（８６ａ、８６ｂ）の外側側縁（１１）が、前記外側側縁の上に折り畳まれた前記中央区分（８２ａ、８４ａ、８２ｂ、８４ｂ）を越えて所定の寸法（Ｄ）だけ横方向（３８）に突き出ていることを特徴とする、請求項１または２に記載の吸収性失禁用品（９）。
【請求項４】
前記所定の寸法（Ｄ）は各外側区分（８６ａ、８６ｂ）の横方向（３８）の幅（Ｌ５）の、少なくとも１０％かつ多くとも８５％であるか、または前記所定の寸法（Ｄ）による横方向（３８）への突出量が、少なくとも５ｍｍかつ多くとも５０ｍｍであることを特徴とする、請求項３に記載の吸収性失禁用品（９）。
【請求項５】
前記折り目は前記後側材料部分（３４ａ、３４ｂ）をそれぞれ４つの区分（８０ａ、８２ａ、８４ａ、８６ａ；８０ｂ、８２ｂ、８４ｂ、８６ｂ）に分割し、前記各中央区分（８２ａ、８４ａ、８２ｂ、８４ｂ）の横方向（３８）の幅（Ｌ３、Ｌ４）は前記各外側区分（８６ａ、８６ｂ）の横方向（３８）の幅（Ｌ５）よりも小さいことを特徴とする、請求項１〜４のいずれか１項に記載の吸収性失禁用品（９）。
【請求項６】
前記中央区分（８２ａ、８４ａ、８２ｂ、８４ｂ）の横方向（３８）の幅（Ｌ３、Ｌ４）は同一であるか、又は前記中央区分（８２ａ、８４ａ、８２ｂ、８４ｂ）の横方向（３８）の幅（Ｌ３、Ｌ４）と前記外側区分（８６ａ、８６ｂ）の横方向（３８）の幅（Ｌ５）との比が１：１から１：２．５の間にあることを特徴とする、請求項１〜５のいずれか１項に記載の吸収性失禁用品（９）。
【請求項７】
前記後側材料部分（３４ａ、３４ｂ）のそれぞれの長手縁部分（３７）上に把持領域（５８）が備えられていることを特徴とする、請求項１〜６のいずれか１項に記載の吸収性失禁用品（９）。
【請求項８】
長手方向（４８）に自身の上に折り畳まれた前記後側材料部分（３４ａ、３４ｂ）は前記折り目軸（６１ａ、６１ｂ）に沿って前記後側部分（２４）の内面上に折り込まれ、前記材料部分（３４ａ、３４ｂ）同士が互いに少し離れた位置となるか、または互いに当接するか、または少なくとも一部分が互いに重なり合うことを特徴とする、請求項１〜７のいずれか１項に記載の吸収性失禁用品（９）。
【請求項９】
前記前側材料部分（３５ａ、３５ｂ）は、前記折り畳まれた用品（９）を使用する前に、前記長手方向（４８）に平行な折り目（５０ａ、５０ｂ、５２；５２ｂ、５４ａ、５４ｂ）に沿って自身の上に折り畳まれることを特徴とする、請求項１〜８のいずれか１項に記載の吸収性失禁用品（９）。
【請求項１０】
前記前側材料部分（３５ａ、３５ｂ）は、前記折り畳まれた用品（９）を使用する前に、前記長手方向（４８）に平行な折り目（５０ａ、５０ｂ、５２ａ；５２ｂ、５４ａ、５４ｂ）に沿って自身の上に折り畳まれて、前記折り目が前記前側材料部分（３５ａ、３５ｂ）をそれぞれ４つの区分に分割し、前記中央区分（８２ａ、８４ａ、８２ｂ、８４ｂ）の横方向（３８）の幅（Ｌ３、Ｌ４）は前記外側区分（８６ａ、８６ｂ）の横方向（３８）の幅（Ｌ５）よりも小さいことを特徴とする、請求項１〜９のいずれか１項に記載の吸収性失禁用品（９）。
【請求項１１】
請求項１〜１０のいずれか１項に記載の折り畳まれた失禁用品（９）を製造する方法であって、
前記後側材料部分（３４ａ、３４ｂ）が先ず長手軸に平行に自身の上に折り畳まれ、
これにより形成された２層構成が、次に再び前記長手軸に平行に自身の上に折り畳まれ、前記止着要素テープ（４４）の固着されていないつまみタブ（４５）が前記中央区分（８２ａ、８４ａ；８２ｂ、８４ｂ）によって完全に覆われて、少なくとも部分的に４層構成を形成し、かつ、
前記自身の上に折り畳まれた前記後側材料部分（３４ａ、３４ｂ）が、前記折り目軸（６１ａ、６１ｂ）に沿って前記本体部（２０）の前記後側部分の内面上に内側に折り込まれて、各後側材料部分（３４ａ、３４ｂ）の前記長手縁部分（３７）の内面が前記本体部（２０）の後側部分（２４）の内面（３３）の反対方向に向く、
ことを特徴とする製造方法。
【請求項１２】
製造装置における前記失禁用品（９）の搬送は、前記長手方向（４８）に平行に、ウェブ速度が２００ｍ／分より大で搬送されることを特徴とする、請求項１１に記載の折り畳み失禁用品（９）の製造方法。
【請求項１３】
前記失禁用品（９）は、少なくとも１回、内側方向に向かって、横方向（３８）の折り目（７０、７１）に沿って折り畳まれことを特徴とする、請求項１１または１２に記載の折り畳み失禁用品（９）の製造方法。
【請求項１４】
前記止着要素テープ（４４）は、横方向（３８）の広がりの少なくとも４０％かつ多くとも７５％が、中央区分（８２ａ、８４ａ、８２ｂ、８４ｂ）で覆われるか、または前記中央区分（８２ａ、８４ａ、８２ｂ、８４ｂ）が前記止着要素テープ（４４）を横方向（３８）に少なくとも２０ｍｍかつ多くとも４０ｍｍ覆うことを特徴とする、請求項１に記載の吸収性失禁用品（９）。
【請求項１５】
前記所定の寸法（Ｄ）は各外側区分（８６ａ、８６ｂ）の横方向（３８）の幅（Ｌ５）の、少なくとも４０％かつ多くとも６０％であるか、または前記所定の寸法（Ｄ）による横方向（３８）への突出量が、少なくとも２４ｍｍかつ多くとも３６ｍｍであることを特徴とする、請求項３に記載の吸収性失禁用品（９）。
【請求項１６】
製造装置における前記失禁用品（９）の搬送は、前記長手方向（４８）に平行に、ウェブ速度が２５０ｍ／分より大で搬送されることを特徴とする、請求項１１に記載の折り畳み失禁用品（９）の製造方法。
【請求項１７】
製造装置における前記失禁用品（９）の搬送は、前記長手方向（４８）に平行に、ウェブ速度が３００ｍ／分より大で搬送されることを特徴とする、請求項１１に記載の折り畳み失禁用品（９）の製造方法。
【請求項１８】
製造装置における前記失禁用品（９）の搬送は、前記長手方向（４８）に平行に、ウェブ速度が３５０ｍ／分より大で搬送されることを特徴とする、請求項１１に記載の折り畳み失禁用品（９）の製造方法。
【請求項１９】
前記失禁用品（９）は、２回内側方向に向かって、横方向（３８）の折り目（７０、７１）に沿って折り畳まれ、最初に前記前側部分（２２）が前記本体部の内面の上に折り畳まれ、次いで前記後側部分（２４）が前記前側部分の外面の上に折り畳まれることを特徴とする、請求項１１または１２に記載の折り畳み失禁用品（９）の製造方法。
【発明の詳細な説明】
【技術分野】
【０００１】
本発明は、失禁症成人のための開放型の折り畳み式吸収性失禁用品と、吸収性失禁用品の折り畳み方法に関する。
【背景技術】
【０００２】
独国特許出願公開第１０２００５０３５５４４（Ａ１）公報において、本体部の側縁に取り付けられた、しばしばおむつ翼部とも呼ばれる材料部分を有する失禁用品が既に記載されている。この材料部分は縁部に止着要素を有し、おむつ翼部は、少なくとも２つの折り目を中心にしてそれ自身の上に折り畳まれて本体部の身体に面する側に折り込まれ、第１の接合箇所で取り外し可能に固定されてそれ自身の上に折り込まれた構成が形成される。
【０００３】
欧州特許第１００５３１６（Ｂ１）号公報には、開放型おむつの、ｚ字型に折り折り畳まれたおむつ翼部が記載されている。ここでは、まず少なくとも止着面の幅だけ翼の外端を折り畳み、次にこの構成を止着面の２倍の幅だけ前面に向かって折り返して、この折り畳み構成での止着要素が材料層で覆われないようにして使用者からすぐに見えるようにしている。
【０００４】
欧州特許第１１６６７３５（Ｂ１）号公報にも、後側のおむつ翼部をｚ字型または逆ｚ字型に折り畳むことが記載されている。これは、まず内側に向かっておむつの基体上に折り畳み、次に側部の自由端を外側に向かって１回ないしは複数回折り畳んで、この自由端が折り畳まれた状態で外側を向くようにして、おむつを装着する場合、特に寝たきりの人に対して、容易に広げることができるようにする。
【０００５】
国際公開第２００５１１０３２１（Ａ１）号公報においては、吸収性衛生用品を第１と第２の長手方向の折り目に沿って、おむつ翼部の外縁が折り目を越えて突出するように折り畳むことが記載されている。この場合には、止着要素のある外縁に直接に手が届くので、折り畳まれた用品を容易に広げることができる。
【０００６】
国際公開第２００７０５８７６１（Ａ１）号公報には、個別に取り付けられた翼を持つ吸収性衛生用品を、おむつ翼部と止着要素とを保護するように折り畳むことによって、用品や止着要素に不用意に皺が寄ったり折れ曲がったりすることなしに、高速製造する方法が記載されている。このために、装着状態において内側に面する側に止着要素を有するおむつ翼部は、基体の内面に向けて長手軸を中心に折り畳まれ、その次にその側部全体が第２の長手軸を中心に基体上に折り畳まれる。この時第２の折幅は少なくとも第１の折幅に等しく、内側に畳まれた第１の部分が第２の折り畳みの際に再び折り畳まれることのないようにする。
【０００７】
独国特許出願公開第１０２００４０２１３５３（Ａ１）公報において、前側部分と、後側部分と、長手方向から見てその間にあって使用者の両脚の間に来る股下部分とからなる本体部を有する吸収性失禁用品が開示されている。ここで、本体部は吸収体を含む。また、後側部分に取り付けられた後側材料部分と前側部分に取り付けられた前側材料部分も有している。その後側と前側の材料部分は本体部の長手方向側縁を越えて横方向に延びており、両方の材料部分は装着状態において身体に面する側に内面を有し、装着状態において身体の反対側に面する側に外面を有する。後側材料部分はその後側材料部分の外側縁部分上に止着要素を有し、後側と前側の材料部分は用品の装着状態において前側部分と後側部分とを相互に結合する。これらの両材料部分は折り畳まれた用品を使用する前に、それ自身の上に折り畳まれかつ身体に面する本体部の後側部分の側部の上に内側に向かって折り畳まれている。
【０００８】
この従来技術によれば、畳み込まれた失禁用品の問題点は、製造工程において生産速度を上げると仕様を充たさない製品の割合が増えることである。仕様を充たさないということは、製造者が決めた製品品質に関する要求を製品が満足しないことを意味する。生産速度を上げると、折り畳まれたおむつ翼部に取り付けられた止着要素が生産中に意図せずに開いて製品品質を危うくする。折りたたまれたおむつ翼部を含み、止着要素が意図せずに開いた失禁用品を、次の生産工程で長手方向及び／又は横方向に折りたたむ場合には、完全または部分的に開いた止着要素が失禁用品の他の材料層と接触して、意図せずにそれらに結合してしまう。この結果、失禁用品を通常の方法で開くことができなくなり、場合によっては止着要素が元々の結合方法では使用できなくなってしまう。そのような失禁用品を生産工程から取り除かない場合には、次の加圧下での失禁用品の包装工程で意図しない結合がさらに強化される。これらの製品は適切に開いて装着することができないために、使用不能となってしまう。
【発明の概要】
【発明が解決しようとする課題】
【０００９】
本発明の目的は、おむつ翼部の付いた開放型の吸収性失禁用品を、止着手段の機能を損なうことなく高速生産することにある。さらに、失禁用品を利用者にとって使いやすい構成とすることである。
【課題を解決するための手段】
【００１０】
この目的は本発明によれば、本体部の後側部分の側縁部分に取り付けられた後側材料部分を有し、かつ前側部分に取り付けられた前側材料部分（おむつ翼部、側方フラップまたは側方部分）を有する、開放型の失禁用品によって達成される。失禁用品の使用前には、後側材料部分が長手方向の折り目に沿ってそれ自身の上に折り畳まれており、その縁部分には固着されていないつまみタブの付いた止着要素テープがあって、使用前には材料部分の内面上に折り畳まれている。後側材料部分は折り畳まれて、内側区分と中央区分と外側区分とを形成する。内側区分は本体部の側縁部分のそれぞれに取り付けられており、外側区分は長手縁部分を構成し、中央区分は外側区分の内面上に折り畳まれて、中央区分が止着要素テープの固着されていないつまみタブを完全に覆うようになっている。このように折り畳まれた後側材料部分が、本体部の後側部分の内面上に折り目軸に沿って内側に折り込まれて折り畳み構成を成す。この折り畳み構成の縁部分の内面は、本体部の後側部分の内面とは反対方向を向いている。
【００１１】
装着時に失禁用品を閉じるために、止着要素テープが本体部の前側部分の外面、及び／又は前側部分の材料部分と相互に作用して取り外し可能な接着を行う。この目的のために、止着要素テープはマジックテープ式ファスナのような感圧型接着ゾーンまたは機械式止着補助具を持っていてもよい。
【００１２】
発明者らは、製造段階において止着要素テープが意図せずに開いてしまうのは止着要素テープにかかる風による力が原因であり、製造速度の上昇と共にそれが増大することを認識した。この風の力による影響のリスクがあるのは特に、折り畳み構成の後側材料を既に本体部の内面上に折り畳み終えて、次に長手方向を横切る方向に失禁用品を折り畳む直前、またはその折り畳んでいる時点である。この風による力が、折り畳まれた材料部分の内面における止着要素テープの接着力を超えると、止着要素が意図しないで開放される。前述したように、このような失禁用品は全く使用不能であることが多い。
【００１３】
さらに、本発明による構成によって、発生する風の力から止着要素が最大限保護されることが分かった。図を参照してこのことをより詳細に説明する。
【００１４】
本発明による失禁用品の好適な実施形態において、後側材料部分の外側長手縁部分を、本製品の長手中心軸から外方向に本体部の長手方向側縁の方向へ向く配置としたことにより、使用者は製品をさらに容易に広げることができるようになる。
【００１５】
後側材料部分がそのようになっていることが使用者に分かり、製品を容易につかんで広げることができるためには、吸収性失禁用品の止着要素テープは横方向にその幅の少なくとも２５％で多くとも９０％、好ましくは横方向のその幅の少なくとも４０％で多くとも７５％が中央区分で覆われるか、あるいは、中央区分が止着要素テープを少なくとも１０ｍｍで多くとも５０ｍｍ、より好ましくは少なくとも２０ｍｍで多くとも４０ｍｍを横方向に覆うことが好ましい。
【００１６】
後側材料部分の外側区分の外側側縁が好ましくは、この側縁上に折り畳まれた中央区分よりも寸法Ｄだけ突出している。
【００１７】
寸法Ｄが好ましくは、各外側区分の幅Ｌ５の少なくとも１０％で多くとも８５％、より好ましくは少なくとも４０％で多くとも６０％である。あるいはまた、寸法Ｄによる横方向の突出量が、好ましくは少なくとも５ｍｍで多くとも５０ｍｍ、より好ましくは少なくとも２４ｍｍで多くとも３６ｍｍである。
【００１８】
後側材料部分は好ましくはそれ自身の上に折り畳まれてそれぞれが４つの区分に分割され、各中央区分の幅Ｌ３、Ｌ４はそれぞれの外側区分の幅Ｌ５よりも小さい。より好ましくは、中央区分の幅Ｌ３とＬ４は同じであり、及び／又は外側区分の幅Ｌ５に対する中央区分の幅Ｌ３、Ｌ４の比は１：１から１：２．５の間にある。
【００１９】
後側材料部分をそれ自身の上に折り畳む順序は、好ましくは、各後側材料部分の外面をまず外面の上、すなわちそれ自身の上へ折り畳む。こうして形成された２層構成を次にもう一度それ自身の上に折り畳んで、各後側材料部分の内面が、内面の上に折り畳まれるようにする。部分的に４層構成が形成される。これを、適切であれば、もう一度それ自身の上に折り畳んで８層構成としてもよい。後側材料部分をそれ自身の上に折り畳む際に、折り目が材料部分の内面上に折り畳まれた止着要素テープを横切らないことが望ましい。
【００２０】
このように相互に折り畳まれた後側材料部分が、特に点状の超音波溶接による接合点によって、折り畳まれた構成のまま取り外し可能に留められることが望ましい。折り畳まれた材料部分を取り外し可能に固定することに関しては、独国特許出願第１０２００９０２２５２９．３号公報を参照されたい。
【００２１】
それぞれの折り畳まれた後側材料部分の各長手縁部分に把持領域が設けられていればさらに有利である。折り畳まれた材料部分を手で把持するためのこの領域は、長手縁部分全体で構成されてもよい。好ましくは把持領域が、接合点のない長手縁部分の一部から構成される。これは長手縁部分の中央にある領域であることが望ましい。接合点による取り外し可能な固定は、対応する把持領域を一度引っ張るだけで、好ましくはすべての接合点が開放または分離されて、それぞれの材料部分が完全に広げられるように設計できることが実証されている。
【００２２】
本発明の発展形態においては、後側材料部分の表面積（ｃｍ２単位）が、前側材料部分よりも好ましくは少なくとも１０％、特には少なくとも１５％大きいことが有利である。特に、後側材料部分の長さＬ７、すなわちおむつの長手方向への広がりは、少なくとも１３ｃｍ、さらに特に少なくとも１８ｃｍ、そしてさらに特に少なくとも２２ｃｍであってよい。後側材料部分の長さＬ７が、使い捨て失禁用おむつの全長の少なくとも１０％、特に少なくとも１５％、さらに特に少なくとも２０％、そしてさらに特に少なくとも２２％であれば、さらに有利である。有利には、使い捨て失禁用おむつの全長は、５０〜１２０ｃｍ、特に６０〜１１０ｃｍ、さらに特に７０〜１１０ｃｍである。前側材料部分が、後側材料部分よりも少なくとも５％、特に少なくとも１０％、さらに特に少なくとも１５％、そしてさらに特に多くとも５０％短い長さＬ６であればさらに有利である。本発明の発展形態においては、材料部分の幅Ｌ１、すなわちおむつの本体部の側縁を越えた横方向への材料部分の広がりが、１２〜４０ｃｍ、特に１３〜３０ｃｍ、さらに特に１４〜２７ｃｍであれば有利である。好ましくは、前側材料部分が後側材料部分と同じ幅を持っている。
【００２３】
前側材料部分もまた折り畳まれた用品の使用前には、好ましくは長手方向に平行な折り目に沿ってそれ自身の上に折り畳まれていることが望ましい。そのような場合の折り目は、前側材料部分をそれぞれ４つの区分に分割し、中央区分の幅Ｌ３、Ｌ４が外側区分の幅Ｌ５よりも小さい。後側材料部分をそれ自身の上に折り畳むことは、好ましくは、まず各前側材料部分の外面を外面上に、すなわちそれ自身の上へ折り畳む。こうして形成された２層構成を次にもう一度それ自身の上に折り畳んで、各前側材料部分の内面が、内面の上に折り畳まれるようにする。
【００２４】
前側及び／又は後側の材料部分が不織布で作られていればさらに有利であることが分かっている。具体的には、組成中に少なくとも１つの熱可塑性ポリマをベースとする成分を含むすべての不織布材料が好適である。不織布材料としては、ＰＥ、ＰＰ、ＰＥＴ、レーヨン、セルロース、ＰＡの繊維、およびそれらの繊維の混合物を含んでよい。また２成分及び多成分繊維も考えられ、かつ有利である。特に、カード不織布、スパンボンド不織布、水流絡合不織布、ＳＭ不織布、ＳＭＳ不織布、ＳＭＭＳ不織布、またはこれらの不織布の１つまたは複数の積層体などが有利である。ここで、Ｓはスパンボンド不織布層、Ｍはメルトブロー不織布層を表す。スパンボンド不織布は、長手方向および横方向に高い強度を持ち、使用される可能性のある任意の機械的止着補助具から受ける剪断力に対して特に良好に耐えられるので、特に望ましい。機械的止着補助具を開放するときに、不織構造から繊維が裂けるのを防ぐために、不織布繊維成分にエンボスパターンを与えて、それによって好ましくはすべての不織成分の繊維を結合させることが有利である。そのような場合に、特に加熱エンボスパターンを利用することが有利である。これは、熱エネルギを加えて不織布をカレンダー加工することによって有利に生成される。
【００２５】
本発明により折り畳み失禁用品を製造するために、それ自身の上に折り畳まれた後側材料部分が、好ましくはおむつの本体部を通り好ましくは長手軸に平行な折り目軸に沿って、後側部分の内面上に畳み込まれて、材料部分同士が少し離れるか、相互に当接するか、または少なくとも部分的に重なり合うようになる。有利には、後側材料部分の取り付け領域における本体部の側縁が折り目軸となってもよい。
【００２６】
従って、本発明は上に述べたような折り畳み失禁用品の製造方法にも関する。後側材料部分が先ず長手軸に平行にそれ自身の上に折り畳まれ、そうして形成された２層構成が次に、長手軸に平行にそれ自身の上にもう一度折り畳まれ、止着要素テープの固着されていないつまみタブが中央区分によって完全に覆われて、少なくとも部分的に４層構成が形成される。このようにそれ自身の上に折り畳まれた後側材料部分は、本体部の後側部分の内面上に折り目軸に沿って内側に折り込まれて、それぞれの後側材料部分の長手縁部分の内面が、本体部の後側部分の内面とは反対に向けられる。
【００２７】
好ましくは、材料部分が最初にそれ自身の上に折り畳まれ、次に折り畳まれた構成のまま本体部の後側部分にある第１及び第２の側縁部分に固定され、その後本体部の内面上に折り込まれる。
【００２８】
本発明の発展形態においては、失禁用品がそれ自身の上に、少なくとも１回、好ましくは２回ほど、好ましくは横方向に延びる折り目に沿って、内側に折り畳まれて、好ましくは、前側部分が先ず本体部の内面上に内側に折り畳まれ、その次に後側部分がこの前側部分の上に折り畳まれるような形となる。このようにして、コンパクトなサイズであるために製造と梱包の工程における取り扱いが容易な製品となり、畳み込まれた構成において外から見える側は、装着状態において最外側の層となる材料層で形成される。こうして、用品の内面が使用以前に汚れないように保護される。
【００２９】
製造装置における製造時の失禁用品の搬送は、特に後側材料部分を折り目軸に沿って身体に面する本体部の後側部分の側部上に内側に折り畳み、かつ折り込む工程の後は、好ましくは、長手方向に平行に、ウェブ速度が２００ｍ／分より大、特に２５０ｍ／分より大、さらに特に３００ｍ／分より大、そしてまたさらに特に３５０ｍ／分より大で実行される。好ましくは失禁用品が、上記の工程を含めてそこまでの工程では、連続的につながった状態で搬送される。すなわち、後で個別の腰回りの開放周縁部となる部分がまだ相互に接続されたままである。好ましくは下流の工程において初めて失禁用品が横方向に互いに分離されて個別の失禁用品となる。そうして、その次に前述したように、横方向の折り目に沿ってそれ自身の上に折り畳まれる。
【００３０】
本発明の更なる特徴、詳細、利点は、添付の特許請求の範囲、図面及び下記の本発明の好適な実施形態の説明から得られる。
【図面の簡単な説明】
【００３１】
【図１】完全に広げられた失禁用品の平面図である。
【図２】本発明により、後側材料部分がそれ自身の上に折り畳まれた失禁用品の部分平面図である。
【図２ａ】図２のＡ−Ａに沿った失禁用品の断面図である。
【図２ｂ】後側材料部分の縁部分に取り付けられた止着要素の断面図である。
【図３ｂ】後側材料部分の縁部分に取り付けられた止着要素の断面図である。
【図４ａ】自身の上に折り畳む前の後側材料部分の断面と、自身の上への第１の折り畳みステップを示す図である。
【図４ｂ】自身の上への第１の折り畳み後の後側材料部分の断面と、自身の上への第２の折り畳みステップを示す図である。
【図４ｃ】自身の上への第１と第２の折り畳み後の、後側材料部分の断面図である。
【発明を実施するための形態】
【００３２】
本発明による失禁用品９を図１、２、２ａに模式的に示す。これは全体を符号２０で示す本体部を備える。本体部は基体と呼ばれることも多い。本体部２０は、前側部分２２、後側部分２４、および前側部分と後側部分との間にあってこの失禁用品９を使用者に装着した時に使用者の両脚の間に来る股下部分２６とを備えている。本体部２０は、体液を吸収し永続的に保持するのに適した寸法を有する吸収体２８を含む。吸収体は、好ましくはセルロース繊維と超吸収性ポリマー粒子（ＳＡＰ）とを備え、液体不透過層３０で支持されている。この層が、失禁用品９の外側の見える側面を構成してもよい。吸収体２８の上に液体透過性の上側シート３２が設けられてもよい。
【００３３】
後側部分２４には、後側の側方フラップすなわち側方部分を形成する第１の材料部分３４ａが本体部２０の第１の側縁部分３６ａに重なって取り付けられており、また後側の側方フラップすなわち側方部分を形成する第２の材料部分３４ｂが本体部２０の第２の側縁部分３６ｂに重なって取り付けられている（図１のハッチング領域）。材料部分３４ａ、３４ｂは、四角形の外形となっている。材料部分３４ａ、３４ｂは、脚部切抜き部分において独国特許出願公開第１０２００７０２４１８０（Ａ１）号公報に開示されたような輪郭とすることも可能であり、また有利でもある。本体部２０と後側材料部分３４ａ、３４ｂとの横方向に広がる外縁は、後側の腰回り開放周縁部１００ａを形成する。
【００３４】
装着状態において、失禁用品９の着用者の身体とは反対に向く側を外面３１と呼び、装着状態において、失禁用品９の着用者の身体に向く側を内面３３と呼ぶ。この理解のもとに、失禁用品９を広げた構成において、失禁用品９の各構成部品に内面と外面が指定される。
【００３５】
図１は、完全に広げられた状態における失禁用品９の内面３３を示す図である。後側材料部分３４ａ，３４ｂのそれぞれには止着要素テープ４４を有する止着要素４２が２つある。これらはそれ自身の上に折り畳まれていて使用時には開くことができ、かつ固着されていないつまみタブ４５を有している。後側材料部分３４ａ，３４ｂのそれぞれに各１つだけの止着要素４２を備えることも考えうる。使用時に失禁用品を閉じるために、止着要素テープ４４が本体部２０の前側部分２２の外面３１、及び／又は前側部分２２の材料部分と相互に作用して取り外し可能に接着する。この目的のために、止着要素テープは例えばマジックテープ式ファスナなどの感圧型接着ゾーンまたは機械的止着補助具を持っていてもよい。
【００３６】
失禁用品の前側部分２２には材料部分３５ａ、３５ｂが備えられる。これもまたそれ自身の上に折り畳まれ、側方部分を形成するが止着要素は持たない。前側材料部分３５ａ、３５ｂは四角形の外形となっている。脚部切抜き部分において独国特許出願公開第１０２００７０２４１８０（Ａ１）号公報に開示されたような輪郭を持つ材料部分３５ａ、３５ｂも考えられ、また有利でもある。本体部２０と前側材料部分３５ａ、３５ｂとの横方向に広がる外縁は、前側の腰回り開放周縁部１００ｂを形成する。
【００３７】
後側材料部分３４ａ、３４ｂのそれぞれは図２に示すように、本体部の後側部分２４においてそれ自身の上に折り畳まれて、中央区分８２ａ、８４ａ、８２ｂ、８４ｂがそれぞれの止着要素テープ４４の固着されていないつまみタブ４５を完全に覆う。そして、後側材料部分の長手縁部分３７が、製品４９の長手中心軸の反対を向いて本体部の外側長手方向側縁４０の方向を向くように配置される。
【００３８】
失禁用品９の製造時には、後側材料部分３４ａ、３４ｂのそれぞれは、図１の状態から始まってそれ自身の上に折り畳まれた後に、長手方向４８に平行で、この実施形態では本体部２０の内部にある折り目軸６１ａ、６１ｂのそれぞれに沿って図２に示す位置まで内側に折り畳まれて、折り畳み構成を成す。この構成で失禁用品９は、製造時に、特にまだ連続的につながった状態で、長手方向に高ウェブ速度で搬送される。それは特に２００ｍ／分より大、さらに特に３００ｍ／分より大、もっとさらに特に３５０ｍ／分より大のウェブ速度である。このような場合においては、強い風（“運動により生じる空気流”）がウェブの上側に吹く。これはウェブの上側を形成する部品が強い風の力を受ける危険性をもたらす。
【００３９】
発明者らは、止着要素テープが製品欠陥を招く強い風力の影響を受けるリスクが特に高いことを認識した。止着要素テープ４４はその製造者側末端１において、好ましくは恒久的な接着剤２または熱接着または超音波溶接やその他の接合方法で、通常取り外しできないように、つまり非常に強固に後側材料部分３４ａ、３４ｂの縁部分３７に固定されている（図２ｂ）。ただし使用者側末端３においては、止着要素テープ４４は通常、後の使用のために非破壊で外せるように固定されている。すなわち好ましくはマジックテープ式ファスナのような感圧接着剤４および／または機械的止着要素により固定され、使用者が僅かの力を加えるだけで開いて使用状態にすることができる。図３ｂは止着要素テープ４４を、後側材料部分３４ａ、３４ｂの縁部分３７の内面３３から取り外して、失禁用品の使用直前に意図して開いた状態を示す。さらに、止着要素テープ４４はその使用者側末端３の最も外側の領域にいわゆるつまみタブ４５を有している。すなわち末端部分は、使用者が簡単に摘めるために、非常に小さな力で取り外しが可能であるか、または好ましくは図に示すように全く固定されていない。
【００４０】
本発明による構成では、つまみタブ４５は中央区分８２ａ、８４ａ、８２ｂ、８４ｂによって完全に覆われ、かつウェブの上側を形成する部品の一部とはなっていない。したがって、前述の風力には全く、またはひどくはさらされないようになっている。
【００４１】
つまみタブ４５が完全に覆われていることに加え、止着要素テープ４４がその横方向３８の幅の少なくとも２５％で多くとも９０％、好ましくはその横方向３８の幅の少なくとも４０％で多くとも７５％を、中央区分８２ａ、８４ａ、８２ｂ、８４ｂによって覆われていることが望ましい。または、中央区分８２ａ、８４ａ、８２ｂ、８４ｂが止着要素テープ４４を、横方向３８に、少なくとも１０ｍｍで多くとも５０ｍｍ、より好ましくは少なくとも２０ｍｍで多くとも４０ｍｍだけ覆う。これは一方においては、中央区分８２ａ、８４ａ、８２ｂ、８４ｂによって止着要素テープ４４を不十分にしか被覆しないことにより被覆材料層に風力がかかってそれを潜在的に移動させ、工程内においてつまみタブ４５が潜在的に露出させられる、ということを防止して、高い水準のプロセス信頼性を確保する。他方においては、この構成では使用者は止着要素４２を簡単に識別可能であり、材料部分を容易に把持して開くことが可能となる。
【００４２】
これに関連して、各後側材料部分３４ａ、３４ｂのそれぞれの縁部分３７に把持領域５８が備えられれば有利である（図２）。把持領域５８は、折り畳まれた材料部３４ａ、３４ｂを手で把持して、開くのに好適な領域である。図２に示す構成において、材料部分３４ａ、３４ｂのそれぞれの把持領域５８は失禁用品９の製品の長手中心軸４９に関して外側を向いている。把持領域５８を両手で同時に掴んで、両手を外方向に強く引っ張ることにより、使用者は折り畳まれた製品を容易に開くことができる。その場合特に、外方向へ強く引く動作により折り畳まれた材料部分３４ａ、３４ｂを開くことができるために、その前に折り目軸６１ａ、６１ｂに沿って折り畳まれた材料部分３４ａ、３４ｂを開いておく必要は最早ない。
【００４３】
さらに、好ましくはそれぞれの後側材料部分３４ａ、３５ａは折り畳まれて、後側材料部分３４ａ、３４ｂの外側区分８６ａ、８６ｂの外側側縁１１が、その側縁上に折り畳まれた中央区分８２ａ、８４ａ、８２ｂ、８４ｂを越えて横方向３８に寸法Ｄだけ突出する。寸法Ｄが好ましくは各外側区分８６ａ、８６ｂの幅Ｌ５の少なくとも１０％で多くとも８５％であり、より好ましくは少なくとも４０％で多くとも６０％である。あるいはまた、寸法Ｄによる横方向３８への突出量が、好ましくは少なくとも５ｍｍで多くとも５０ｍｍであり、より好ましくは少なくとも２４ｍｍで多くとも３６ｍｍである。
【００４４】
互いの上に折り畳まれた材料部分３４ａの区分８０ａ、８２ａ、８４ａ、８６ａ、及び互いの上に折り畳まれた材料部分３４ｂの区分８０ｂ、８２ｂ、８４ｂ、８６ｂは好ましくは折り畳まれた構成で取り外し可能に固定され、具体的には、好ましくは直径０．３５ｍｍで面積０．０９６２ｍｍ２の、超音波溶接による点状の接合点によって固定される。この取り外し可能な固定は、それぞれの第１の把持領域５８を一度引っ張るだけで、好ましくは全ての接合点が開放または分離されて、それぞれの材料部分３４ａ、３４ｂが完全に広げられるように設計できることが実証されている。
【００４５】
図示した好適な実施形態において、長手方向にそれ自身の上に折り畳まれた後側材料部分３４ａ、３４ｂは、折り目軸６１ａ、６１ｂに沿って後側部分２４の内面上に折り込まれて、材料部分３４ａ、３４ｂが互いに接するか、または相互に少しの距離を隔てるかして、いずれにしても相互に重なり合わないような状態となる（図２ａ）。
【００４６】
ただし別の実施形態においては、長手方向にそれ自身の上に折り畳まれた後側材料部分３４ａ、３４ｂを折り目軸６１ａ、６１ｂに沿って後側部分２４の内面上に、材料部分３４ａ、３４ｂが少なくとも一部分が相互に重なりあうように折り込むことも考えられ、かつ有利である。
【００４７】
後側材料部分と前側材料部分とを長手方向に折り畳んで、折り畳んだ材料部分を本体部の内面上に折り込んだ後、失禁用品９はそれ自身の上に好ましくは少なくとも１回、好ましくは２回ほど、内側方向へ、好ましくは横方向３８の折り目７０、７１（図１）に沿って畳み込まれ、好ましくは、最初に前側部分２２が内側方向に本体部２０の内面３３の上に折り畳まれ、その次に後側部分２４が前側部分２２の上に折り畳まれる。このようにして、コンパクトなサイズであるために製造と梱包の工程における取り扱いが容易な製品となり、畳み込まれた構成において外から見える側は、装着状態において外側の層となる材料層３０で形成される。こうして、用品９の内面３３は使用するまでは汚れないように保護される。
【００４８】
図示された実施形態において、材料部分３４ｂの区分８０ｂ、８２ｂ、８４ｂ、８６ｂの寸法は、図１を参照して示された。この寸法は好ましくは、材料部分３４ａの区分８０ａ、８２ａ、８４ａ、８６ａの寸法と同一である。本体部２０に取り付けられた前側と後側の材料部分の広げられた横方向３８の全体幅Ｌ１は、横方向３８に２２０ｍｍである。本体部２０に接合されている区分８０ｂの幅Ｌ２は約７０ｍｍである。中央区分８２ｂの幅Ｌ３と中央区分８４ｂの幅Ｌ４はいずれも約４０ｍｍであり、縁領域３７から成る外側区分８６ｂの幅Ｌ５は約７０ｍｍである。材料部分３４ａ、３４ｂが本体部２０に重ね合わせて取り付けられる領域の幅はいずれも約２５〜３０ｍｍである。前側部分の材料部分の長さＬ６は２３０ｍｍであり、後側部分の材料部分の長さＬ７は３００ｍｍである。
【００４９】
サイズＳ（Ｓｍａｌｌ）とＭ（Ｍｅｄｉｕｍ）の失禁用品９においては、広がった状態における前側および後側材料部分の横方向３８への全長Ｌ１は、１４０〜１８０ｍｍである。本体部２０に接合されている区分８０ｂの幅Ｌ２は２０〜８５ｍｍである。中央区分８２ｂの幅Ｌ３と中央区分８４ｂの幅Ｌ４はいずれも２０〜４５ｍｍであり、縁領域３７から成る外側区分８６ｂの幅Ｌ５は５０〜６０ｍｍである。サイズＬ（Ｌａｒｇｅ）とＸＬ（Ｅｘｔｒａ  Ｌａｒｇｅ）においては、全体幅Ｌ１は２００〜２６５ｍｍ、幅Ｌ２は４５〜１２５ｍｍ、幅Ｌ３と幅Ｌ４はいずれも３５〜６０ｍｍ、幅Ｌ５は５５〜８５ｍｍである。
【００５０】
図４ａ、４ｂ、４ｃは材料部分３４ａ、３４ｂをそれ自身の上に折り畳む様子を示すもので、外面３１を先ず外面３１の上に折り畳んで（図４ａ）、第１の折り畳み構成（図４ｂ）を形成する。この２層構成をもう一度折り畳んで、今度は内面３３が内面３３上に来るようにする（図４ｃ）。
【図１】
0005933579.tif 000002
【図２】
0005933579.tif 000003
【図２ａ】
0005933579.tif 000004
【図３ａ】
0005933579.tif 000005
【図３ｂ】
0005933579.tif 000006
【図４ａ】
0005933579.tif 000007
【図４ｂ】
0005933579.tif 000008
【図４ｃ】
0005933579.tif 000009